(57)【要約】      （修正有）【課題】食器の洗浄，身体の洗浄に用いて吸水，脱水共によく、泡立ち性，洗浄性に優れ、コスト的にも安価な洗浄用編布を提供する。【解決手段】所要の幅と長さを有するラッセル編地を本体１とし、その周縁部においてかがりつけると共に、周縁部４の一部に輪状の紐５を取り付けた編布よりなり、該編布１は天然又は合成繊維単糸によりウエール方向に所要の間隔をおいて並列編成された鎖編目列２と、該鎖編目列の各列に挿入された吸水水性多孔質合成繊維糸によって編成され、挿入糸３は鎖編目列の各列に２本宛挿入され、その１本は隣接ウエールとの間でウエール方向複数の編目を単位として横振り編成されており、他の１本は１ウエール飛んだウエールとの間で上記横振りと同じコース方向位置で上記横振りの反対側より横振り編成されて、全体として格子状組織を形成している洗浄用編布である。【選択図】図１
0003139550.tif 000002
【実用新案登録請求の範囲】
【請求項１】
所要の幅と長さを有するラッセル編地を周縁部においてかがりつけると共に、周縁部の一部に輪状の紐を取り付けた編布よりなり、該編布は天然又は合成繊維単糸によりウエール方向に所要の間隔をおいて並列編成された鎖編目列と、該鎖編目列の各列に挿入された吸水性多孔質合成繊維糸によって編成され、挿入糸は鎖編目列の各列に２本宛挿入され、その１本は隣接ウエールとの間でウエール方向複数の編目を単位として横振り編成されており、他の１本は１ウエール飛んだウエールとの間で上記横振りと同じコース方向位置で上記横振りの反対側より横振り編成されて全体として格子状組織を形成していることを特徴とする洗浄用編布。
【請求項２】
鎖編目編成糸が２０番綿単糸であり、吸水性合成繊維糸が１３６０デニール、３４フィラメントの多孔質スポンジ状ナイロンである請求項１記載の洗浄用編布。
【考案の詳細な説明】
【技術分野】
【０００１】
本考案は食器の洗浄に用いられるスポンジ代用や身体の洗浄に用いるボディタオルなどの洗浄用編布に関するものである。
【背景技術】
【０００２】
家庭用台所において食器を洗浄する際に、現在スポンジが広く一般に用いられているが、スポンジは使用を重ねるにつれて脆化が起こり、屡々取り替えが必要とされることは日常経験されるところであるが、これに代わる適当な洗浄具は現在、未だ見つかっていない。
【０００３】
一方、身体の洗浄に用いる浴用ボディタオルについては近年、綿糸の糸使いを工夫して泡立ち性を向上させたり、綿糸と合成繊維糸の良さを取り入れた複合素材のボディタオルが検討され、天然繊維生地の緯糸に嵩高な意匠撚糸を折り込んだもの（例えば特許文献１参照）や、片面に天然繊維、他面に化学繊維で編成した２層構造の編物（例えば特許文献２参照）等が提案されている。
【０００４】
しかし、上記緯糸に意匠撚糸を折り込んだものは、柔軟性と泡立ち性の両面を謳っているが、マッサージ効果に主眼があり、また天然繊維と合成繊維の表裏２層構造の編物は表裏構造で使用者に任意の面を選ばせる利点はあるものの、泡立ち性と触感性を同時に体験できるものではなく、一長一短があり、充分、満足のいくものと云えなかった。
【特許文献１】特開２００２−１９１５２７号公報
【特許文献２】特開２０００−２７１０３６号公報
【考案の開示】
【考案が解決しようとする課題】
【０００５】
そこで、本考案者は上述の如き実情に対処し、食器洗浄に用いて膨潤，脱水が簡単に出来、またボディタオルに用いて泡立ち性，泡もち性がよく、皮膚に優しい洗浄用編布を求めて検討を重ね、スポンジ状の多孔質吸水性合成繊維糸の利用を見出すことにより、食器洗浄，身体洗浄と共に洗浄性がよく、コスト的にも安価で、かつ製作が容易である洗浄用編布を提供することを目的とするものである。
【課題を解決するための手段】
【０００６】
即ち、上記目的に適合する本考案洗浄用編布は、所要の幅と長さを有するラッセル編地を周縁部においてかがりつけると共に、周縁部の一部に輪状の紐を取り付けた編布よりなり、該編布は天然又は合成繊維単糸によりウエール方向に所要の間隔をおいて並列編成された鎖編目列と、該鎖編目列の各列に挿入された吸水性多孔質合成繊維糸によって編成され、挿入糸は鎖編目列の各列に２本宛挿入され、その１本は隣接ウエールとの間でウエール方向複数の編目を単位として横振り編成されており、他の１本は１ウエール飛んだウエールとの間で上記横振りとと同じコース方向位置で上記横振りの反対側より横振り編成されて、全体として格子状組織を形成している編布である。
【０００７】
ここで、上記吸水性合成繊維糸は多孔質スポンジ状のナイロン，ポリエステル，アクリル等の合成繊維糸、好ましくはナイロン１３６０Ｄ／３４Ｆが用いられ、鎖編目形成糸には２０番綿単糸が用いられる。なお、上記本考案に係る編布は食器の洗浄の外、身体洗浄用ボディタオルにも使用し好適である。
【考案の効果】
【０００８】
本考案洗浄用編布は以上のようにラッセル編地の鎖編目列に対し、その各編目列に吸水性を有する多孔質合成繊維糸を挿入し、対向的に横振り編成したものであり、吸水性多孔質合成繊維糸の使用により強度を有していると共に、水分の膨潤、ならびに膨潤した水分の排出が極めて容易であり、食器の洗浄，身体の洗浄において泡立ち性にすぐれて洗浄効率もよく、しかもラッセル編により作成され、対向的に横振り編成されているので、形態保持も良好であると共に、大量生産ができてコストも安く経済性に有利な効果を有している。また、本考案編布は周縁の一部に輪状の紐、通常、ゴム紐を設けているので一時、鉤に掛けたり、収納に際して折り畳み、輪状のゴム紐で一括することができ、収納や持ち運びに便利である。
【考案を実施するための最良の形態】
【０００９】
以下、更に添付図面に基づいて本考案の具体的な形態を説明する。図１は本考案洗浄用編布の１例として食器洗浄用の編布を示しており、図において１は本体の編布で、ラッセル編機によって編成されて食器洗浄用として所要の幅と長さを有する略正方形状に裁断され、その周縁部４の一部に輪状の紐５、通常ゴム紐５が取り付けられている。
【００１０】
この輪状の紐５は洗浄用編布を台所適所に吊り下げるのに用いてもよく、また編布１を折り畳み縮小して図５に示すように一括し収納するのに用いてもよい。
【００１１】
図２は上記編布１の編組織を一部拡大図示したもので、ラッセル編機によりウエール方向（長さ方向）に適宜所要の間隔を存して並列編成された鎖編目列２に対しウエール方向の複数の編目にわたると共に該複数の編目毎のコース方向（横方向）に挿入糸３が横振り挿入されて全体として格子状組織に形成されている。
【００１２】
図３、図４は上記組織における挿入糸の横振り挙動の説明図であり、（ａ），（ｂ），（ｃ）は鎖編目列２の各列に挿入される挿入糸で、（ａ），（ｂ）は隣接ウエールとの間で各列のウエール方向、複数の通常、３編目毎に横振りする挿入糸であり、（ｃ）は２ウエールを単位として前記挿入糸（ａ），（ｂ）と同じコース方向位置で反対側より横振りする挿入糸で上記挿入糸（ａ），（ｂ），（ｃ）を単位として隣接ウエール間の横振りと２ウエール間の反対側からの横振りが繰り返されて図１，図２に示すようにウエール方向に鎖編目と挿入糸（ａ）と（ｃ）、又は（ｂ）と（ｃ）による重なりと、コース方向に挿入糸（ａ）と（ｃ），（ｃ）、又は（ｂ）と（ｃ），（ｃ）の重なりによって全面にわたり挿入糸が表面に顕出される格子状組織の編布が形成される。
【００１３】
本考案編布１は以上のような組織をもって構成されており、かなでも特に形成糸と挿入糸の糸使いに特徴を有して鎖編目形成糸には天然繊維又は合成繊維糸、好ましくは２０番綿単糸が用いられ、一方、挿入糸には吸水性のスポンジ状多孔質合成繊維糸、好ましくはスポンジ状ナイロンが用いられる。勿論、鎖編目形成糸にナイロン，ポリエステル等を用いてもよく、また、挿入糸としてスポンジ状のポリエステル，アクリルから選ばれた1種以上の繊維糸を単独又は併用して用いることも可能である。特に挿入糸としては引揃え糸として嵩高性を有するものが有効である。
【００１４】
以上は食器洗浄用編布について説明してきたが、同様に洗浄用として長方形状に作成し、浴用ボディタオルに利用することも可能である。この場合、縦長の長方形状に形成される外は編布本体１の組織、輪状ゴム紐５の取り付けならびに編布１を構成する糸使い、糸の種類等は前記食器洗浄用編布の構成と同様である。なお、本考案編布は前記食器洗浄，身体洗浄用ボディタオルに限らず、他の洗浄用布としても適宜、使用し得ることは勿論である。そして、何れの場合においても吸水性多孔質合成繊維糸の使用により吸水性，脱水性共によく、しかも編布であるため感触性にも優れ、実用的効果が良好である。
【図面の簡単な説明】
【００１５】
【図１】本考案に係る食器洗浄用編布を示す外観図である。
【図２】本考案編布の拡大組織図である。
【図３】本考案編布の各挿入態様を示す概要図である。
【図４】本考案編布の挿入糸の挿入組織説明図である。
【図５】本考案編布を輪状の紐により一括した状態を示す概要図である。
【符号の説明】
【００１６】
１：編布本体
２：鎖編目列
３：挿入糸
４：周縁部
５：輪状の紐
【図１】
0003139550.tif 000003
【図２】
0003139550.tif 000004
【図３】
0003139550.tif 000005
【図４】
0003139550.tif 000006
【図５】
0003139550.tif 000007